【手続補正書】
【提出日】平成25年2月25日(2013.2.25)
【手続補正１】
【補正対象書類名】特許請求の範囲
【補正対象項目名】全文
【補正方法】変更
【補正の内容】
【特許請求の範囲】
【請求項１】
動画を再生する再生手段と、
表示制御手段であって、
前記再生手段で再生している動画の、現在の再生位置を含んだ第１の区間に含まれる複数のフレームに関する情報を、該動画における時間順に配置して表示する時系列表示と、
前記第１の区間に含まれ、前記第１の区間よりも短く、かつ前記現在の再生位置を含む、固定時間長を有する第２の区間の開始位置及び終了位置の、前記時系列表示における位置を示す区間表示とを、
前記再生手段による前記動画の再生に同期して行う表示制御手段と、
前記表示制御手段による表示中にユーザからの指示を受け付けると、前記指示を受け付けたタイミングに基づいて前記第２の区間の前記動画における位置を特定し、特定した位置の第２の区間に含まれる前記動画のデータに対し、予め定められた処理を実行する処理手段と、を有することを特徴とする表示制御装置。
【請求項２】
前記動画の複数のフレームに関する前記情報は、当該複数のフレームのそれぞれから生成した静止画であることを特徴とする請求項１に記載の表示制御装置。
【請求項３】
前記動画の複数のフレームに関する前記情報は、当該複数のフレームのそれぞれに関する付属情報であることを特徴とする請求項１に記載に表示制御装置。
【請求項４】
前記付属情報が、撮像時に手ぶれしていたか否か、撮像時に顔が検出されたか否か、撮像時にズーム操作されたか否か、撮像時にパンニング操作されたか否か、音声が記録されているか否か、逆光状態か否か、低／高コントラスト状態か否か、地面撮り状態であるか否か、の少なくとも１つであることを特徴とする請求項３記載の表示制御装置。
【請求項５】
前記表示制御手段は、前記区間表示の表示位置を固定とし、前記動画の再生と同期して前記時系列表示を更新することを特徴とする請求項１から請求項４のいずれか１項に記載の表示制御装置。
【請求項６】
前記表示制御手段は、前記動画の再生と同期して前記区間表示の表示位置を変更するように更新することを特徴とする請求項１から請求項４のいずれか１項に記載の表示制御装置。
【請求項７】
前記第２の区間の長さは、複数の選択肢の中からユーザによって予め選択されることを特徴とする請求項１から請求項６のいずれか１項に記載の表示制御装置。
【請求項８】
前記第２の区間の長さは、ユーザによって予め設定された任意の長さであることを特徴とする請求項１から請求項６のいずれか１項に記載の表示制御装置。
【請求項９】
前記表示制御手段は、前記区間表示の前記開始位置から前記終了位置までの幅を、前記再生手段による前記動画の再生速度に応じて変更することを特徴とする請求項１から請求項８のいずれか１項に記載の表示制御装置。
【請求項１０】
前記第１の区間の長さの指定をユーザから受け付ける受付手段と、
前記指定された前記第１の区間の長さが、前記第２の区間の長さよりも短い場合には警告を発する警告手段と、をさらに有することを特徴とする請求項１から請求項９のいずれか１項に記載の表示制御装置。
【請求項１１】
前記処理手段は、前記指示を受け付けたタイミングにおいて、前記第２の区間に前記動画の終端が含まれていた場合には、前記第２の区間の前記動画における位置を、前記第２の区間の開始位置が示す位置から前記終端までと特定することを特徴とする請求項１から請求項１０のいずれか１項に記載の表示制御装置。
【請求項１２】
前記処理手段は、前記第２の区間に含まれる前記動画の長さが所定時間未満であれば、前記指示の有無にかかわらず、前記処理を行わないことを特徴とする請求項１から請求項１１のいずれか１項に記載の表示制御装置。
【請求項１３】
動画を再生する再生手段を有する表示制御装置の制御方法であって、
表示制御手段が、
前記再生手段が再生している動画の、現在の再生位置を含んだ第１の区間に含まれる複数のフレームに関する情報を、該動画における時間順に配置して表示する時系列表示と、
前記第１の区間に含まれ、前記第１の区間よりも短く、かつ前記現在の再生位置を含む、固定時間長を有する第２の区間の開始位置及び終了位置の、前記時系列表示における位置を示す区間表示とを、
前記再生手段による前記動画の再生に同期して行う表示制御ステップと、
前記表示制御ステップによる表示中にユーザからの指示を受け付けると、処理手段が、前記指示を受け付けたタイミングに基づいて前記第２の区間の前記動画における位置を特定し、特定した位置の第２の区間に含まれる前記動画のデータに対し、予め定められた処理を実行する処理ステップと、を有することを特徴とする表示制御装置の制御方法。
【請求項１４】
コンピュータを、請求項１から請求項１２のいずれか１項に記載された表示制御装置の各手段として機能させるためのプログラム。
【請求項１５】
コンピュータを、請求項１から請求項１２のいずれか１項に記載された表示制御装置の各手段として機能させるためのプログラムを格納した、コンピュータが読み取り可能な記憶媒体。
【手続補正２】
【補正対象書類名】明細書
【補正対象項目名】００１０
【補正方法】変更
【補正の内容】
【００１０】
上述の課題は、動画を再生する再生手段と、表示制御手段であって、再生手段で再生している動画の、現在の再生位置を含んだ第１の区間に含まれる複数のフレームに関する情報を、動画における時間順に配置して表示する時系列表示と、第１の区間に含まれ、第１の区間よりも短く、かつ現在の再生位置を含む、固定時間長を有する第２の区間の開始位置及び終了位置の、時系列表示における位置を示す区間表示とを、再生手段による動画の再生に同期して行う表示制御手段と、表示制御手段による表示中にユーザからの指示を受け付けると、指示を受け付けたタイミングに基づいて第２の区間の動画における位置を特定し、特定した位置の第２の区間に含まれる動画のデータに対し、予め定められた処理を実行する処理手段と、を有することを特徴とする表示制御装置によって達成することができる。
【手続補正３】
【補正対象書類名】明細書
【補正対象項目名】００２３
【補正方法】変更
【補正の内容】
【００２３】
なお、時系列表示領域２０１には、少なくとも現在の再生位置及び未再生の区間を含んだ連続した区間であり、コピー処理を行う固定区間（第２の区間）よりも長い区間（第１の区間）における付属情報の経時変化を表示する。時系列表示領域２０１で一度に動画像の経時変化を表せる期間（図２（ａ）の例では８秒間）が動画像もしくは再生中のカットの長さより短い場合、時系列表示領域２０１の表示は、動画像の再生とともに順次、更新され、後述するスクロール表示を実現する。
【手続補正４】
【補正対象書類名】明細書
【補正対象項目名】００３８
【補正方法】変更
【補正の内容】
【００３８】
再生制御部１０３は、再生を一時停止させると、コピー区間の開始地点の指示があった時点（開始点）及び再生を一時停止させた時点（終了点）の再生位置情報と、カット番号などの情報を編集制御部１０５へ通知し、コピーの実行を指示する。編集制御部１０５では、開始点から終了点までの動画像を、保存部１０４に保存されている、再生中の動画像のデータを用いてコピーし、新しいカットとして保存部１０４へ保存する（Ｓ４０６）。なお、コピー処理により、コピー元のデータに変更が加えられることはない。編集制御部１０５は、コピーの実行（カットの作成）を完了すると、再生制御部１０３に実行終了を通知する。再生制御部１０３は、「再生を継続しますか？」等のダイヤログをパラメータ管理部１０２及び設定画面表示部１１０を通じて表示部１１４に表示させ、動画像の再生を継続するか否かを問い合わせる（Ｓ４０７）。これに対し、ユーザから操作部１０１を通じて再生の継続が指示されれば、再生制御部１０３は、動画像の再生を、Ｓ４０５で一時停止した場所から再開させる。一方、Ｓ４０７で、再生を継続しない指示があった場合、再生制御部１０３は再生処理を終了する。